【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
乗物車両であって、
アトラクション環境の中を移動するように構成された基部と、
前記基部に係合する球体であって、該球体は該球体内に配置された１又は２以上の乗物座席を含み、該１又は２以上の乗物座席は該球体内に配置されたプラットフォームの上面に結合される、球体と、
前記球体を前記基部に対して回転させるために該球体の外面と係合するように構成された該基部の球体駆動システムであって、前記プラットフォームの上面は、該球体駆動システムが非垂直軸の周りで該球体を回転させる間、前記基部の中心を通る垂直軸に対して直交方向を維持するように構成される、球体駆動システムと、
を含む、乗物車両。
【請求項２】
前記プラットフォームの底面は、前記球体の内面の輪郭に適合するように輪郭をつけられ、該プラットフォームの底面は、該球体の内面と相互作用するように構成されたころ軸受を含むか又は該ころ軸受に結合される、請求項１に記載の乗物車両。
【請求項３】
前記ころ軸受は、前記球体が回転するときに該球体に対して移動するように構成される、請求項２に記載の乗物車両。
【請求項４】
前記球体は、フレームに結合された複数のパネルを含む、請求項１に記載の乗物車両。
【請求項５】
前記プラットフォームは、少なくとも部分的に外側回転台の中に配置された内側回転台を含み、該内側回転台、該外側回転台、又はその両方は、互いに対して回転するように構成され、前記乗物座席は、該内側回転台に結合され、１又は２以上のテーマ要素は、該外側回転台に結合される、請求項１に記載の乗物車両。
【請求項６】
前記プラットフォームは、電源を収容するように構成されたハウジングを含む、請求項１に記載の乗物車両。
【請求項７】
前記基部は、前記球体が受ける力を低減するように構成された衝撃吸収システムを含む、請求項１に記載の乗物車両。
【請求項８】
前記プラットフォームは、１又は２以上の回転台を含む、請求項１に記載の乗物車両。
【請求項９】
前記プラットフォームが前記球体と連動して回転するように構成されるように、該プラットフォームを該球体に結合するように係合されるように構成されたロッキングシステムを含む、請求項１に記載の乗物車両。
【請求項１０】
前記プラットフォームに結合され、１又は２以上の画像を前記１又は２以上の乗物座席内の１又は２以上のユーザーに表示するように構成されたヘッドアップディスプレイ（ＨＵＤ）を含む、請求項１に記載の乗物車両。
【請求項１１】
１又は２以上の駆動信号を前記球体駆動システムに送るように構成された制御装置を含み、前記球体駆動システムは、前記球体が前記１又は２以上の駆動信号に基づいて前記アトラクション環境の中を移動する際に前記球体の外面が前記基部の速度に実質的に一致する接線速度を有するように前記球体を回転させるように構成される、請求項１に記載の乗物車両。
【請求項１２】
乗車構成信号を受け取るステップと、
前記受け取った乗車構成信号に基づいて乗物車両の球体キャビンのドアを開位置に作動させるステップと、
前記受け取った乗車構成信号に基づいて前記球体キャビン内に配置されるプラットフォームの外側回転台を該プラットフォームの内側回転台に対して回転させるステップと、
前記乗車構成信号を受け取った後に１又は２以上の乗客を前記乗物車両の前記球体キャビンの中に受け入れるステップと、
乗物構成信号を受け取るステップと、
前記受け取った乗物構成信号に基づいて前記外側回転台を前記内側回転台に対して回転させるステップと、
前記受け取った乗物構成信号に基づいて前記乗物車両の前記ドアを閉位置に作動させるステップと、
を含む、方法。
【請求項１３】
前記乗物車両の前記ドアを作動させた後に、前記外側回転台及び前記内側回転台を一緒にロックするステップを含む、請求項１２に記載の方法。
【請求項１４】
前記ドアは、前記乗物車両の前記球体キャビンの一部を形成するように構成され、前記ドアを前記開位置に作動させるステップは、
前記ドアを前記球体の表面を半径方向に超えて移動させるステップと、
前記ドアを前記球体に対して円周方向に移動させるステップと、
を含む、請求項１２に記載の方法。
【請求項１５】
前記球体を前記外側回転台に対して回転させる信号を受け取るステップを含む、請求項１２に記載の方法。
【請求項１６】
乗物車両であって、
球体駆動システムによって回転されるように構成された球体キャビンであって、該球体駆動システムは、該球体キャビンをその中心の周りで全ての方向に回転させることができるように回転運動を該球体キャビンに伝えるように構成された複数の駆動装置を含む、球体キャビンと、
前記球体キャビンの中の１又は２以上のユーザーを支持するように構成された１又は２以上のプラットフォームであって、該球体キャビンは、該１又は２以上のプラットフォームに対して回転するように構成される、１又は２以上のプラットフォームと、
前記球体駆動システムを有する基部と、
前記１又は２以上のプラットフォームに結合され、前記１又は２以上のユーザーを支持するように構成された１又は２以上の座席であって、前記１又は２以上のプラットフォーム及び前記１又は２以上の座席は、非垂直軸周りの前記球体キャビンの回転の間、前記基部及び前記基部の中心を通る垂直軸に対して向きを維持するように構成される、１又は２以上の座席と、
を含む、乗物車両。
【請求項１７】
前記１又は２以上のプラットフォームは、前記乗物車両の１又は２以上の作動に電力を供給するように構成された電源、モータ、音響システム、特殊効果システム、制御装置、又はこれらの組み合わせを含む、請求項１６に記載の乗物車両。
【請求項１８】
前記１又は２以上のプラットフォームの上面は、前記球体キャビンの回転中に実質的に水平にとどまるように構成される、請求項１６に記載の乗物車両。
【請求項１９】
前記複数の駆動装置の各々の駆動装置は、球体誘導モータによって回転されるように構成される、請求項１６に記載の乗物車両。
【請求項２０】
前記球体キャビンを支持するように構成された基部を含み、該基部は、環境の中を通って前記乗物車両を駆動するために複数の車輪を作動させるように構成された１又は２以上のモータを含む、請求項１６に記載の乗物車両。
【請求項２１】
前記１又は２以上のプラットフォームは、少なくとも部分的に外側回転台の中に配置された内側回転台を含み、該内側回転台、該外側回転台、又はその両方は、互いに対して回転するように構成される、請求項１６に記載の乗物車両。
【請求項２２】
乗物車両であって、
アトラクション環境の中を移動するように構成された基部と、
前記基部に係合する球体であって、該球体は該球体内に配置された１又は２以上の乗物座席を含み、該１又は２以上の乗物座席は該球体内に配置されたプラットフォームの上面に結合される、球体と、
前記球体を前記基部に対して回転させるために該球体の外面と係合するように構成された該基部の球体駆動システムであって、前記プラットフォームの上面は、該球体駆動システムが該球体を回転させる間、実質的に水平のままであるように構成され、該球体はフレームに結合された複数のパネルを含む、球体駆動システムと、
を含む、乗物車両。
【請求項２３】
前記プラットフォームは、１又は２以上の回転台を含む、請求項２２に記載の乗物車両。